(57)【要約】【課題】  磁石の性質を利用して一対の装飾用本体を互いに引き合うようにして、装飾効果を高めたモビールを提供する。【解決手段】  一対の装飾用本体２ａ，２ｂを設け、それぞれの装飾用本体２ａ，２ｂを吊り糸３ａ，３ｂで天秤棒４の両端部に吊るし、天秤棒４の支点５を吊り紐６で吊るしてバランスをとる。一対の装飾用本体の一方２ａの適所に磁石８ａを埋設するとともに、他方の装飾用本体２ｂの適所に一方の装飾用本体２ａと周端部９ａ，９ｂ同士が互いに引き合う如く磁石８ｂを埋設し又は一方の磁石８ａと引き合う金属体を埋設する。【選択図】図１
0003181437.tif 000002
【実用新案登録請求の範囲】
【請求項１】
一対の装飾用本体を設け、それぞれの装飾用本体を吊り糸で天秤棒の両端部に吊るし、天秤棒の支点を吊り紐で吊るしてバランスをとり、前記一対の装飾用本体の一方の適所に磁石を埋設するとともに、他方の装飾用本体の適所に前記一方の装飾用本体と周端部同士が互いに引き合う如く磁石を埋設し又は前記一方の磁石と引き合う金属体を埋設してなることを特徴とするモビール。
【請求項２】
一対の装飾用本体はそれぞれ厚さを有する立体物からなる請求項１に記載のモビール。
【請求項３】
一方の装飾用本体の吊り糸の途中に釣り鐘を介在させ、他方の装飾用本体の吊り糸の途中であって前記釣り鐘と対応する部位に鐘撞き棒を介在させてなる請求項１又は２に記載のモビール。
【請求項４】
一方の装飾用本体の吊り糸の途中に、環状体を介して複数本の長尺の玉打ち体を吊るすとともに、前記吊り糸の前記玉打ち体の下端部に対応する部位に鳴り玉を介在させてなる請求項１又は２に記載のモビール。
【考案の詳細な説明】
【技術分野】
【０００１】
本考案は、磁石を利用したモビールに関するものである。
【背景技術】
【０００２】
従来、広告、宣伝、陳列、展示、装飾等に使用する可動性であり、且つ静止状態において一定方向に向く装飾体として、任意の形状を有する装飾用本体の適当な個所に磁石を取付け、該装飾用本体の支点部を任意の支持部材で可動的に支持してなる装飾体がある。このものは、１個の装飾用本体に１個の磁石を取付け、磁石のＮ極が北、Ｓ極が南を向く性質を利用して、静止状態において装飾用本体を南北に向かせるようにしたものである。これにより、装飾効果を高めるようにしている。
【０００３】
しかしながら、１個の装飾用本体に１個の磁石を取付け、静止状態において装飾用本体を南北に向かせるだけでは、変化に乏しく面白みに欠ける。
【先行技術文献】
【特許文献】
【０００４】
【特許文献１】実公昭５１−２０８７３号公報
【考案の概要】
【考案が解決しようとする課題】
【０００５】
そこで本考案は、磁石の性質を利用して一対の装飾用本体を互いに引き合うようにして、装飾効果を高めたモビールを提供することを目的とする。
【課題を解決するための手段】
【０００６】
上記の課題を解決するために、請求項１に係る考案は、一対の装飾用本体を設け、それぞれの装飾用本体を吊り糸で天秤棒の両端部に吊るし、天秤棒の支点を吊り紐で吊るしてバランスをとり、前記一対の装飾用本体の一方の適所に磁石を埋設するとともに、他方の装飾用本体の適所に前記一方の装飾用本体と周端部同士が互いに引き合う如く磁石を埋設し又は前記一方の磁石と引き合う金属体を埋設してなる構成としたものである。
請求項２に係る考案は、一対の装飾用本体はそれぞれ厚さを有する立体物からなるものとしたものである。
請求項３に係る考案は、一方の装飾用本体の吊り糸の途中に釣り鐘を介在させ、他方の装飾用本体の吊り糸の途中であって前記釣り鐘と対応する部位に鐘撞き棒を介在させたものである。
請求項４に係る考案は、一方の装飾用本体の吊り糸の途中に、環状体を介して複数本の長尺の玉打ち体を吊るすとともに、前記吊り糸の前記玉打ち体の下端部に対応する部位に鳴り玉を介在させたものである。
【考案の効果】
【０００７】
請求項１に係る考案は、一対の装飾用本体の一方の適所に磁石を埋設するとともに、他方の装飾用本体の適所に前記一方の装飾用本体と周端部同士が互いに引き合う如く磁石を埋設し又は前記一方の磁石と引き合う金属体を埋設してなるので、静止状態において一対の装飾用本体が互いに引き合うように作用し、今までにない装飾効果を発揮させることができる。
請求項２に係る考案は、一対の装飾用本体をそれぞれ厚さを有する立体物からなるものとしたので、揺動状態から静止状態に至る際に、一対の装飾用本体同士が重なって離れなくなってしまうことなく、端面同士を接触させることが容易となる。
請求項３に係る考案は、一方の装飾用本体の吊り糸の途中に釣り鐘を介在させ、他方の装飾用本体の吊り糸の途中であって釣り鐘と対応する部位に鐘撞き棒を介在させたので、揺動状態において鐘撞き棒が釣り鐘に衝突して、釣り鐘が鳴り響くことになり、その動きによる視覚的効果と音による聴覚的効果とを発揮させることができる。
請求項４に係る考案は、一方の装飾用本体の吊り糸の途中に、環状体を介して複数本の長尺の玉打ち体を吊るすとともに、前記吊り糸の前記玉打ち体の下端部に対応する部位に鳴り玉を介在させたので、揺動状態において玉打ち体が鳴り玉に衝突して鳴り響くことになり、その動きによる視覚的効果と音による聴覚的効果とを発揮させることができる。
【図面の簡単な説明】
【０００８】
【図１】本考案の第１実施例によるモビールを示す正面図である。
【図２】図１のＩＩ−ＩＩ断面図である。
【図３】本考案の第２実施例によるモビールを示す一部断面正面図である。
【図４】本考案の第３実施例によるモビールを示す一部断面正面図である。
【考案を実施するための形態】
【０００９】
以下、本考案の実施例を図面に基づいて具体的に説明する。図１に示す第１実施例によるモビール１は、一対の装飾用本体２ａ，２ｂを吊り糸３ａ，３ｂで天秤棒４の両端部に吊るし、天秤棒４のバランスを保つ支点５を吊り紐６で吊るし、吊り紐６の上端部を天井等の固定物７に取付けたものである。
【００１０】
そして、一対の装飾用本体２ａ，２ｂは、それぞれ厚みをもった立体物からなり、適所に磁石８ａ，８ｂを埋設してある。その向きは、一対の装飾用本体２ａ，２ｂが並列に吊り下げられた際、対面する周端面９ａ，９ｂ同士で互いに引き合うように設定する。
厚みをもった立体物とすることにより、装飾用本体２ａ，２ｂが揺れて重なったような場合でも、一方の装飾用本体２ａに埋設した磁石８ａのＳ極（又はＮ極）と他方の装飾用本体２ｂに埋設した磁石８ｂのＮ極（又はＳ極）との距離を保つことができるので、一対の装飾用本体２ａ，２ｂ同士が重なった状態で離れなくなってしまうことを防ぐことができる。厚みがないと、装飾用本体２ａ，２ｂが揺れて重なった場合に、磁力が大きすぎて重なった状態で離れなくなってしまい、装飾効果を発揮することができなくなる。
【００１１】
一対の装飾用本体２ａ，２ｂのそれぞれに磁石８ａ，８ｂを埋設したものを図示したが、いずれか一方は磁石８ａ，８ｂに引き合う適宜の金属（鉄など）を埋設するようにしてもよい。
その磁力は、静止状態においては一対の装飾用本体２ａ，２ｂが対面する周端面９ａ，９ｂ同士で互いに引き合うように接するが、装飾用本体２ａ，２ｂが揺れた際には離れる程度となるように、磁石８ａ，８ｂの磁力や埋設位置、装飾用本体２ａ，２ｂの厚さ等を適宜設定する。
このように、不規則に動く揺動状態から、静止状態において一対の装飾用本体２ａ，２ｂの周端面９ａ，９ｂ同士で互いに引き合うように接するデザインは、斬新で今までにない装飾効果（視覚的効果）を発揮するものである。
【００１２】
図３に示す第２実施例によるモビール１は、一方（図３において左方）の装飾用本体１０ａの吊り糸３ａの途中に釣り鐘１１を介在させ、他方（図３において右方）の装飾用本体１０ｂの吊り糸３ｂの途中に鐘撞き棒１２を介在させたものである。鐘撞き棒１２の釣り鐘１１側を向く端部には金属体１３を設けてある。なお、鐘撞き棒１２は、もう一箇所を吊り糸３ｃで天秤棒４に吊って水平になるようにしてある。
【００１３】
図示した装飾用本体１０ａ，１０ｂは、雄と雌の犬を模したもので、引き合う静止状態においては、雄と雌の犬同士がキスをしているようにデザインされたものである。
かかるモビール１によれば、風等の外力を受けて装飾用本体１０ａ，１０ｂが揺れると、装飾用本体１０ａ，１０ｂ同士は離れて不規則に揺動し、また鐘撞き棒１２が釣り鐘１１を撞いて音が鳴ることになり、装飾用本体１０ａ，１０ｂ、釣り鐘１１、鐘撞き棒１２の動きによる視覚的効果と音による聴覚的効果とを発揮させることができる。
【００１４】
装飾用本体１０ａ，１０ｂのデザインは、犬に限らず種々のもの、例えば十二支のいずれかをデザインしたもの、動物だけでなく、植物を模したものなど自由である。また、一対の装飾用本体１０ａ，１０ｂ同士が引き合う様子は、キスをしている様子に限らず、握手をしている様子、おしり同士を突き合わせている様子など、種々のデザインが可能である。また、釣り鐘１１や鐘撞き棒１２の材質や形状等を適宜選択して音色や音の高低を適宜設定できる。
【００１５】
図４に示す第３実施例によるモビール１は、一方（図４において左方）の巳を模した装飾用本体１５ａの吊り糸３ａの途中に、環状体１６を介して複数本（図４では３本）の長尺の玉打ち体１７を吊るすとともに、吊り糸３ａの前記玉打ち体１７の下端部に対応する部位に球状の鳴り玉１８を介在させたものである。詳しくは、３本の玉打ち体１７を周方向に１２０°のピッチで環状体１６に吊るし、この環状体１６を吊り糸３ａの上部に吊るしてある。
実施例では長尺の玉打ち体１７は金属製の管体（例えばアルミニウム管）とし、鳴り玉１８はガラス玉としてあるが、必ずしもこれらの材質に限定されるものではない。
なお、吊り紐６の途中にイルカを模した装飾体１９を介在させてあるが、装飾体１９のデザインは自由であり、また、装飾体１９を介在させるか否かも自由である。
【００１６】
風等の外力を受けてモビール１が揺れると、玉つき体１７が不規則に揺れて鳴り玉１８に衝突して音が鳴る。また、一対の装飾用本体１５ａ，１５ｂ同士が互いに離れて不規則に揺れる。一方、静止状態においては、図示のように装飾用本体１５ａ，１５ｂ同士が鼻を突き合わせている様子となる。
玉打ち体１７や鳴り玉１８の材質を適宜選択することによって音色を適宜設定することができる。また、玉打ち体１７の管の厚さや管径、鳴り玉１８の大きさ等を適宜選択することにより、音の高低を適宜設定することができる。なお、玉打ち体１７は管体に限らず棒状体としてもよい。
【００１７】
上述した第２実施例及び第３実施例によるモビール１では、装飾用本体１０ａ，１０ｂ，１５ａ，１５ｂ、釣り鐘１１、鐘撞き棒１２、玉打ち体１７等の揺れに伴う視覚的効果だけでなく、音による聴覚的効果をも発揮させることができる。
このように、第２実施例及び第３実施例によるモビール１によれば、音による聴覚的効果をも発揮させることができるので、適当なフック（図示せず）を介してドアに吊り下げてドアチャイムとして利用することもできる。また、軒下に吊り下げて風鈴として利用することもでき、今までにない斬新な風鈴となる。
【符号の説明】
【００１８】
１  モビール
２ａ，２ｂ  装飾用本体
３ａ，３ｂ，３ｃ  吊り糸
４  天秤棒
５  支点
６  吊り紐
７  固定物
８ａ，８ｂ  磁石
９ａ，９ｂ  周端面
１０ａ，１０ｂ  装飾用本体
１１  釣り鐘
１２  鐘撞き棒
１３  金属体
１５ａ，１５ｂ  装飾用本体
１６  環状体
１７  玉打ち体
１８  鳴り玉
１９  装飾体
【図１】
0003181437.tif 000003
【図２】
0003181437.tif 000004
【図３】
0003181437.tif 000005
【図４】
0003181437.tif 000006